(57)【特許請求の範囲】
【請求項１】
調理器本体の前方に出没自在な操作用や電池用のケースを備える加熱調理器であって、ケースの前板部に化粧板が取付けられ、化粧板はケースの前板部から横方向片側に張り出す張り出し部を有するものにおいて、
ケースの前板部に、化粧板用の係合孔が少なくとも左右１組形成され、化粧板の背面に、これら係合孔に抜け止めされた状態で係合する少なくとも左右１組の係合爪が突設され、
少なくとも張り出し部側に位置する係合爪は、化粧板を前板部に対し前方に引張ったときに対応する係合孔から離脱可能な形状に形成され、
前記ケースの前板部に、前記化粧板用の位置決め孔が少なくとも左右１組形成され、
化粧板の背面に、これら位置決め孔に嵌合する少なくとも左右１組の位置決め突起が突設され、
前記張り出し部側に位置する位置決め孔は対応する位置決め突起が横方向の遊びを持って嵌合するように形成されることを特徴とする加熱調理器。
【発明の詳細な説明】
【技術分野】
【０００１】
本発明は、調理器本体の前方に出没自在な操作用や電池用のケースを備える加熱調理器に関する。
【背景技術】
【０００２】
従来、上面に温調機能や調理タイマ機能等の各種機能の選択や設定を行う各種機能スイッチを配置した操作用のケースを調理器本体の前方に出没自在に設けた加熱調理器が知られている。また、ドロップイン式の加熱調理器であって、調理器本体の横方向外側にサイドピースを設けるものにおいて、操作用ケースの前板部に化粧板を取付けると共に、化粧板を前板部から横方向片側に張り出す張り出し部を有するものとし、張り出し部でサイドピースを目隠しするようにしたものも知られている（例えば、特許文献１参照）。
【０００３】
尚、上記従来例のものでは、化粧板の背面に上下方向にのびる左右一対のコ字状の受け部を形成し、操作用ケースの前板部の左右の側縁に受け部を上方からスライドさせて係合させることにより、化粧板を操作用ケースの前板部に取付けている。
【０００４】
ところで、化粧板が上記の如く張り出し部を有するものであると、操作用ケースを調理器本体の前方に突出させた状態で、張り出し部に誤って衣服を引っ掛け易くなる。そして、張り出し部に引っ掛けた衣服が破れたり、化粧板が破損することがある。
【特許文献１】特開２００７−６４５８５号公報（図２〜図４）
【発明の開示】
【発明が解決しようとする課題】
【０００５】
本発明は、以上の点に鑑み、化粧板の張り出し部に衣服を引っ掛けても、衣服が破れたり、化粧板が破損しないようにした加熱調理器を提供することをその課題としている。
【課題を解決するための手段】
【０００６】
上記課題を解決するために、本発明は、調理器本体の前方に出没自在な操作用や電池用のケースを備える加熱調理器であって、ケースの前板部に化粧板が取付けられ、化粧板はケースの前板部から横方向片側に張り出す張り出し部を有するものにおいて、ケースの前板部に、化粧板用の係合孔が少なくとも左右１組形成され、化粧板の背面に、これら係合孔に抜け止めされた状態で係合する少なくとも左右１組の係合爪が突設され、少なくとも張り出し部側に位置する係合爪は、化粧板を前板部に対し前方に引張ったときに対応する係合孔から離脱可能な形状に形成され、前記ケースの前板部に、前記化粧板用の位置決め孔が少なくとも左右１組形成され、化粧板の背面に、これら位置決め孔に嵌合する少なくとも左右１組の位置決め突起が突設され、前記張り出し部側に位置する位置決め孔は対応する位置決め突起が横方向の遊びを持って嵌合するように形成されることを特徴とする。
【０００７】
本発明によれば、ケースを調理器本体から突出させた状態で化粧板の張り出し部に衣服を引っ掛けると、張り出し部に衣服を介して加えられる外力により、張り出し部側の係合爪が係合孔から離脱し、ケースの前板部に対する化粧板の固定が解除される。従って、化粧板の張り出し部に衣服を引っ掛けても、衣服が破れたり、化粧板が破損することはない。
【０００８】
尚、係合孔に係合爪を係合させるだけでは、化粧板をケースの前板部に正確に位置決めして取付けることは困難である。この場合、ケースの前板部に、化粧板用の位置決め孔を少なくとも左右１組形成すると共に、化粧板の背面に、これら位置決め孔に嵌合する少なくとも左右１組の位置決め突起を突設すれば、位置決め孔への位置決め突起の嵌合で化粧板がケースの前板部に正確に位置決めして取付けられる。
【０００９】
但し、張り出し部側に位置する位置決め孔に位置決め突起が密に嵌合していると、張り出し部に衣服を引っ掛けて、張り出し部側を前板部から引き離すような外力が加えられても、張り出し部側の位置決め孔に対する位置決め突起のコジリを生じて、化粧板が前板部から外れにくくなる。そのため、張り出し部側に位置する位置決め孔は対応する位置決め突起が横方向の遊びを持って嵌合するように形成されることが望ましい。これによれば、張り出し部側の位置決め孔に対する位置決め突起のコジリを生じなくなり、化粧板が前板部から容易に外れ、張り出し部に引っ掛けた衣服が破れたり、化粧板が破損することはない。
【発明を実施するための最良の形態】
【００１０】
図１はシステムキッチンのカウンタトップ（図示せず）に開設した開口に落とし込むようにして設置するドロップイン式の加熱調理器を示している。図中１は調理器本体、２は調理器本体１の上面を覆うようにしてカウンタトップ上に載置する天板である。
【００１１】
ドロップイン式の加熱調理器では、カウンタトップへの調理器本体１の設置作業を容易にするため、調理器本体１の横幅をカウンタトップの下に確保す調理器設置空間の横幅よりも狭くしており、調理器本体１の左右の各外側面と調理器設置空間の左右の各側面との間に隙間を生ずる。そこで、調理器本体１の設置作業後に、上記隙間を目隠しするサイドピース１ａを調理器本体１の左右の各外側面に取付けている。
【００１２】
調理器本体１には、前側の左右２個と後側１個の計３個の３個のバーナ３が設けられると共に、グリル４が内蔵されている。そして、天板２に、これら各バーナ３を臨ませる開口を形成して、各開口を囲うように五徳５を載置すると共に、天板２の後部にグリル４用の排気口２ａを開設している。尚、各バーナ３には、各五徳５上に載置する調理容器の底面に当接して調理容器の温度を検出する鍋底温度センサ３ａが付設されている。
【００１３】
調理器本体１の前面には、横方向中央に位置させてグリル扉４ａが配置され、グリル扉４ａの左右両側に位置させて左右一対の前面パネル１ｂが配置されている。各前面パネル１ｂには、各バーナ３とグリル４の点消火用の操作子６と火力調整レバー７とが配置されている。尚、各前面パネル１ｂは、調理器本体１から横方向に張り出してサイドピース１ａを前方から覆うように形成されており、調理器本体１の設置後に調理器本体１の前面に取付けられる。
【００１４】
また、左側の前面パネル１ｂの下側には、上面に温調機能や調理タイマ機能等の各種機能の選択や設定を行う各種機能スイッチと表示部とを配置した操作用ケース８が調理器本体１の前方に出没自在に設けられ、右側の前面パネル１ｂの下側には、電池用ケース９が調理器本体１の前方に出没自在に設けられている。これらケース８，９の前板部には化粧板８１，９１が取付けられている。ここで、化粧板８１，９１は、ケース８，９の前板部から横方向片側に張り出す張り出し部８１ａ，９１ａを有し、ケース８，９を没入させたときに、張り出し部８１ａ，９１ａによりサイドピース１ａの下部が前方から覆われるようにしている。
【００１５】
ここで、化粧板８１，９１が張り出し部８１ａ，９１ａを有すると、ケース８，９を突出させた状態で、張り出し部８１ａ，９１ａに衣服を引っ掛け易くなる。そして、化粧板８１，９１がケース８，９の前板部に強固に取付けられていると、張り出し部８１ａ，９１ａに引っ掛けた衣服が破れたり、化粧板８１，９１が破損することがある。そこで、張り出し部８１ａ，９１ａに衣服を介して外力が加わったときに、化粧板８１，９１がケース８，９の前板部から容易に外れるようにしている。以下、操作用ケース８への化粧板８１の取付け構造について、図２及び図３を参照して説明する。
【００１６】
操作用ケース８の前板部８２には、少なくとも左右１組の係合孔８３Ｌ、８３Ｒが形成されると共に、少なくとも左右１組の位置決め孔８４Ｌ、８４Ｒが形成されている。また、化粧板８１の背面には、左右の係合孔８３Ｌ、８３Ｒに対応する左右の係合爪８５Ｌ、８５Ｒが突設されると共に、左右の位置決め孔８４Ｌ、８４Ｒに対応する左右の位置決め突起８６Ｌ、８６Ｒが突設されている。尚、本実施形態では、右側の係合孔８３Ｒと右側の係合爪８５Ｒは夫々１つであるが、左側の係合孔８３Ｌと左側の係合爪８５Ｌは、操作用ケース８の内蔵部品との干渉を避けるため、夫々上下一対に設けられている。内蔵部品との干渉を生じないのであれば、左側の係合孔８３Ｌ及び係合爪８５Ｌは、右側の係合孔８３Ｒ及び係合爪８５Ｒと同じ大きさで１つ宛設けても良い。
【００１７】
また、本実施形態では、右側の位置決め孔８４Ｒと右側の位置決め突起８６Ｒは夫々上下一対に設けられ、左側の位置決め孔８４Ｌと左側の位置決め突起８６Ｌも夫々上下一対に設けられている。即ち、前板部８２と化粧板８１の背面とに夫々左右２組の位置決め孔８４Ｌ、８４Ｒと左右２組の位置決め突起８６Ｌ、８６Ｒとが設けられている。尚、これら位置決め孔８４Ｌ、８４Ｒと位置決め突起８６Ｌ、８６Ｒは夫々左右１組だけ設けられていても良い。
【００１８】
右側と左側の各係合爪８５Ｒ、８５Ｌは、右側と左側の各係合孔８３Ｒ、８３Ｌに抜け止めされた状態で係合する。具体的には、各係合爪８５Ｒ、８５Ｌは、前板部８２の背面に各係合孔８３Ｒ、８３Ｌの横方向外側の孔縁部において引掛る顎部８５ａを有し、各係合孔８３Ｒ、８３Ｌに顎部８５ａにおいて抜け止めされた状態で係合する。また、各係合爪８５Ｒ、８５Ｌは、化粧板８１を前板部８２に対し前方に引張ったときに対応する係合孔８３Ｒ、８３Ｌから離脱可能な形状に形成されている。即ち、各係合爪８５Ｒ、８５Ｌの顎部８５ａに傾斜を付けて、化粧板８１を前板部８２に対し前方に引張ったときに、各係合爪８５Ｒ、８５Ｌが顎部８５ａの傾斜により横方向内方に弾性変形し、各係合孔８５Ｒ、８５Ｌから各係合爪８５Ｒ、８５Ｌが離脱可能になるようにしている。
【００１９】
右側と左側の各位置決め突起８６Ｒ、８６Ｌは円柱状に形成され、その先端は先細りになっている。右側の位置決め孔８４Ｒは、右側の位置決め突起８６Ｒが密に嵌合する丸孔で構成される。一方、張り出し部８１ａ側たる左側の位置決め孔８４Ｌは、左側の位置決め突起８６Ｌが横方向の遊びを持って嵌合するように、横長の長円孔で構成されている。
【００２０】
上記の構成によれば、各位置決め孔８４Ｒ、８４Ｌに各位置決め突起８６Ｒ、８６Ｌを嵌合させると共に、各係合孔８３Ｒ、８３Ｌに各係合爪８５Ｒ、８５Ｌを係合させることで、化粧板８１が前板部８２に取付けられる。ここで、右側の位置決め孔８４Ｒへの右側の位置決め突起８６Ｒへの嵌合により化粧板８１が前板部８２に対し横方向に位置決めされ、更に、左側の位置決め孔８４Ｌへの左側の位置決め突起８６Ｌの嵌合で化粧板８１が前板部８２に対し上下方向にも位置決めされる。
【００２１】
操作用ケース８を突出させた状態で化粧板８１の左側の張り出し部８１ａに衣服を引っ掛けると、張り出し部８１ａに衣服を介して加えられる前方への引張り力により、先ず、図３（ｂ）に示す如く、左側の係合孔８３Ｌから左側の係合爪８５Ｌが離脱すると共に、左側の位置決め孔８４Ｌから左側の位置決め突起８６Ｌが離脱する。
【００２２】
尚、左側の位置決め孔８４Ｌに左側の位置決め突起８６Ｌが密に嵌合していると、位置決め突起８６Ｌの位置決め孔８４Ｌに対するコジリを生じ、化粧板８１の左側の部分が前板部８２の前方に離れにくくなる。然し、本実施形態では、左側の位置決め孔８４Ｌに左側の位置決め突起８６Ｌが横方向の遊びを持って嵌合するため、位置決め突起８６Ｌの位置決め孔８４Ｌに対するコジリを生じない。従って、化粧板８１の左側の部分が前板部８２から容易に外れる。
【００２３】
次に、図３（ｃ）に示す如く、右側の位置決め孔８４Ｒから右側の位置決め突起８６Ｒが離脱すると共に、右側の係合孔８３Ｒから右側の係合爪８５Ｒが離脱して、化粧板８１が前板部８２から外れる。ここで、右側の位置決め突起８６Ｒは、右側の位置決め孔８４Ｒに密に嵌合しているため、位置決め孔８４Ｒに対するコジリを生ずる。然し、化粧板８１にその右端部を支点にした前方へのモーメントが作用して、右側の位置決め突起８６Ｒが強い力で前方に引張られることから、コジリを生じても位置決め突起８６Ｒは位置決め孔８４Ｒから容易に引き抜かれる。このように、張り出し部８１ａに衣服を引っ掛けても、化粧板８１が前板部８２から容易に外れるため、衣服が破れたり、化粧板８１が破損することはない。
【００２４】
電池用ケース９への化粧板９１の取付け構造も同様になっており、張り出し部９１ａに衣服を引っ掛けたときに、化粧板９１が電池用ケース９の前板部から容易に外れる。
【００２５】
以上、本発明の実施形態について図面を参照して説明したが、本発明はこれに限定されない。例えば、上記実施形態では、左側と右側の両係合爪８５Ｌ、８５Ｒの顎部８５ａに、化粧板８１を前板部８２に対し前方に引張ることで各係合爪８５Ｌ、８５Ｒを各係合孔８３Ｌ、８３Ｒから離脱可能とするための傾斜を付けたが、左側の係合爪８５Ｌが左側の係合孔８３Ｌから離脱すれば、右側の係合爪８５Ｒは弾性変形しなくても右側の係合孔８３Ｒから離脱可能になるため、右側の係合爪８５Ｒの顎部８５ａには傾斜を付けなくても良い。
【００２６】
また、上記実施形態では、化粧板８１，９１にサイドピース１ａを覆うように張り出し部８１ａ，９１ａを形成したが、サイドピースを設けない加熱調理器であって、デザイン上の理由等で化粧板に張り出し部を形成する場合にも同様に本発明を適用できる。
【図面の簡単な説明】
【００２７】
【図１】本発明の実施形態の加熱調理器の斜視図。
【図２】実施形態の加熱調理器に備える操作用ケースの化粧板を取外した状態の斜視図。
【図３】（ａ）操作用ケースの前板部に化粧板を取付けた状態の要部の切断平面図、（ｂ）化粧板の張り出し部側の係合爪が係合孔から離脱した状態を示す要部の切断平面図、（ｃ）化粧板が前板部から外れた状態を示す要部の切断平面図。
【符号の説明】
【００２８】
１…調理器本体、８…操作用ケース、８１…化粧板、８１ａ…張り出し部、８２…前板部、８３Ｒ，８３Ｌ…係合孔、８４Ｌ，８４Ｒ…位置決め孔、８５Ｒ，８５Ｌ…係合爪、８６Ｒ，８６Ｌ…位置決め突起。
【図２】
0005081044.tif 000002
【図３】
0005081044.tif 000003
【図１】
0005081044.tif 000004